(57)【要約】【課題】両面から尿等を吸収可能であり、かつ吸収量を増大させつつ排尿後の逆戻りを少なくした吸収性物品を提供する。【解決手段】吸収層２１０と、吸収層の上面を覆う液透過性の上側シート２０２Ａと、吸収層の下面を覆う液透過性の下側シート２０２Ｂとを有する吸収性物品２００であって、上側シートの親水度が下側シートの親水度より高い。【選択図】図２
2015058174.tif 000002
【特許請求の範囲】
【請求項１】
吸収層と、前記吸収層の上面を覆う液透過性の上側シートと、前記吸収層の下面を覆う液透過性の下側シートとを有する吸収性物品であって、
前記上側シートの親水度が前記下側シートの親水度より高い吸収性物品。
【請求項２】
前記上側シート及び前記下側シートは、いずれも親水性を付与した不織布からなる請求項１に記載の吸収性物品。
【請求項３】
前記上側シートの親水度が１０．０以上、前記下側シートの親水度が１０．０未満である請求項１又は２に記載の吸収性物品。
【請求項４】
前記上側シートと前記下側シートの親水度の差が３．０以上である請求項１〜３のいずれかに記載の吸収性物品。
【発明の詳細な説明】
【技術分野】
【０００１】
本発明は、尿とりパッド、使い捨ておむつ、軽失禁パッド及びライナーなどの吸収性物品に関する。
【背景技術】
【０００２】
従来から、液透過性の上側シートと液不透過性のバックシートとの間に吸収層を設け、上側シート側を着用者の肌側に配置した吸収性物品が広く用いられている。しかしながら、吸収層の吸収量が不足すると、尿が外部に漏れる等の問題がある。
そこで、表面と裏面の両方の面から尿等を吸収可能な吸収性物品が種々開発されている。例えば、吸収層の両面に不織布を配置した吸収性物品が開発されている（特許文献１参照）。又、非通液性シートの両面にそれぞれ吸収体（吸収層）を配置した吸収性物品が開発されている（特許文献２参照）。
【先行技術文献】
【特許文献】
【０００３】
【特許文献１】実開平2-130627号公報
【特許文献１】特開2009-178235号公報
【発明の概要】
【発明が解決しようとする課題】
【０００４】
ところで、吸収性物品に両面から尿を吸収可能な機能を持たせた場合、着用者の失禁の状態や失禁パターン等によって、「繰り返し何度も吸収させたい」、又は「排尿後の逆戻りを少なくして快適に保ちたい」等が要望される。さらに、別の要望として、「重ねて使用している（下側の）おむつに尿を移行して全体の吸収量を多くしたい」、又は「両面パッド自身でできるだけ吸収して下側のおむつは汚したくない」がある。
しかしながら、吸収性物品の吸収能力はコスト上からも限られるので、上記した種々の要望のすべてを満たすことは困難である。
従って本発明は、両面から尿等を吸収可能であり、かつ吸収量を増大させつつ排尿後の逆戻りを少なくした吸収性物品の提供を目的とする。
【課題を解決するための手段】
【０００５】
上記課題を解決するため、本発明の吸収性物品は、吸収層と、前記吸収層の上面を覆う液透過性の上側シートと、前記吸収層の下面を覆う液透過性の下側シートとを有し、前記上側シートの親水度が前記下側シートの親水度より高い。
この吸収性物品によれば、上側シートを着用者の局部側に向けると、上側シートを通して吸収層へ吸収される尿等の吸収速度が速くなり、繰り返し何度も吸収させることができる。一方、裏面側の下側シートの親水度が低いので、下側シートからの尿等のしみ出しが減少し、吸収性物品の下に紙おむつ等を重ねて使用した場合に（下側の）紙おむつへの移行を減少させることができる。
又、上側シートと下側シートの親水度が異なるので、表裏を変えて使用することにより、上記と反対の効果が生じる。具体的には、下側シートが着用者の肌側に向いた場合は、吸収後の尿等の逆戻りを減少させることができるとともに、裏面側となる上側シートの親水度が高いので、併用する（下側の）他の紙おむつへの尿等の移行が増え、全体の吸収量を多くすることができる。
以上のように、吸収性物品の表裏を変えて使用することによって異なる効果が得られるので、１つの吸収物品を使用状況に応じて使い分けることもでき、従来のように２種類以上の吸収性物品を用意して昼間と夜間で使い分けることが不要となり、使い分けの手間や保管場所等を減らすことが可能となる。
【０００６】
前記上側シート及び前記下側シートは、いずれも親水性を付与した不織布からなることが好ましい。
前記上側シートの親水度が１０．０以上、前記下側シートの親水度が１０．０未満であることが好ましい。
前記上側シートと前記下側シートの親水度の差が３．０以上であることが好ましい。
【発明の効果】
【０００７】
この発明によれば、両面から尿等を吸収可能であり、かつ吸収量を増大させつつ排尿後の逆戻りを少なくした吸収性物品が得られる。
【図面の簡単な説明】
【０００８】
【図１】本発明の実施形態に係る吸収性物品の上面図である。
【図２】図１のＡ−Ａ線に沿う断面図である。
【発明を実施するための形態】
【０００９】
以下に本発明の実施形態について説明する。図１は本発明の実施形態に係る吸収性物品２００の上面図、図２は図１のＡ−Ａ線に沿う断面図である。
図１、図２に示すように、吸収性物品２００は略矩形のシート状をなし、吸収層２１０と、吸収層２１０の上面及び下面をそれぞれ覆う液透過性の上側シート２０２Ａ、下側シート２０２Ｂを有する。吸収層２１０は矩形状をなし、上側シート２０２Ａ、下側シート２０２Ｂの対向する四隅は全周にわたってホットメルト接着剤等により固定されている。
【００１０】
吸収層２１０は、例えばフラッフパルプと高吸収性樹脂（高吸水性ポリマー；ＳＡＰ）とを含む。
ＳＡＰとしては、破砕タイプと、パールタイプ(逆相懸濁重合法により得られるもの)のどちらでも選択できる。
フラッフパルプとしては、針葉樹クラフトパルプ、広葉樹クラフトパルプ等の木材パルプが主に使用できる。また、コットンリンターなどの非木材パルプや熱融着性の合成繊維などを適宜フラッフパルプと混合することもできる。
高吸水性樹脂（ＳＡＰ）は網目状の分子構造を有し、自重の数百倍の水を吸収してゲル状に膨潤し、その水を保持する機能を有するポリマーである。ＳＡＰには、合成ポリマー系と天然物由来系とがあり、合成ポリマー系としては、ポリアクリル酸系、ポリスルホン酸系、アクリルアミド系、ポリビニルアルコール系等が利用でき、天然物由来系としては、デンプン系、セルロース系等が利用できるが、特に限定されずにこれらを適宜用いることができる。
吸収層２１０として、ＳＡＰをシート状に形成したシート状吸収層を用いると、厚みがさらに薄くなるので好ましい。シート状吸収層は、親水性の不織布やパルプシートなどの親水性シートにＳＡＰをシート状に担持させたものであり、各種市販されている。
シート状吸収層としては、例えば２枚の親水性シート（それぞれ坪量が１５ｇ／ｍ２以上）の間にＳＡＰをホットメルト接着剤で固定して製造することができる。
【００１１】
本発明においては、上側シート２０２Ａの親水度が下側シート２０２Ｂの親水度より高い。これにより、上側シート２０２Ａを着用者の局部側に向けると、上側シート２０２Ａを通して吸収層２１０へ吸収される尿等の吸収速度が速くなり、繰り返し何度も吸収させることができる。一方、裏面側の下側シート２０２Ｂの親水度が低いので、下側シート２０２Ｂからの尿等のしみ出しが減少し、吸収性物品２００の下に紙おむつ等を重ねて使用した場合に（下側の）紙おむつへの移行を減少させることができる。
例えば、昼間の使用で排尿の都度、あるいは短時間でのおむつ交換が可能であれば、親水度の高い上側シート２０２Ａを着用者の肌側に向けて使用するのが適している。これは、吸収性物品２００の尿の吸収速度が速く、併用する紙おむつへの尿の移行が少ない為、吸収性物品２００が吸収した尿が吸収性物品２００内に留まり、吸収性物品２００のみを交換することで、併用する紙おむつは長時間使用することができる。
【００１２】
又、上側シート２０２Ａと下側シート２０２Ｂの親水度が異なるので、表裏を変えて使用することにより、上記と反対の効果が生じる。具体的には、下側シート２０２Ｂが着用者の肌側に向いた場合は、吸収後の尿等の逆戻りを減少させることができるとともに、裏面側となる上側シート２０２Ａの親水度が高いので、併用する（下側の）他の紙おむつへの尿等の移行が増え、全体の吸収量を多くすることができる。
例えば、夜間の使用のように、おむつの交換を長時間にわたって避けたい場合は、親水度の低い下側シート２０２Ｂを着用者の肌側に向けて使用すると、吸収後の尿の逆戻りが少なく、併用する紙おむつへの移行が増えて全体の吸収量を多くすることができるので、例えば一晩中おむつ交換をしないような使い方に適している。
【００１３】
以上のように、吸収性物品２００の表裏を変えて使用することによって異なる効果が得られるので、１つの吸収物品を使用状況に応じて使い分けることもでき、従来のように２種類以上の吸収性物品を用意して昼間と夜間で使い分けることが不要となり、使い分けの手間や保管場所等を減らすことが可能となる。
【００１４】
これに対し、上側シート２０２Ａと下側シート２０２Ｂの親水度が同一であると、表裏を変えても上記のような吸収特性の違いが得られない。又、上側シート２０２Ａと下側シート２０２Ｂの親水度が小さ過ぎても上記した吸収特性が生じ難いので、上側シート２０２Ａと下側シート２０２Ｂの親水度の差が３．０以上であることが好ましく、５．０以上であることがさらに好ましい。
又、上側シートの親水度がある程度確保されないと、所望の吸収量が得られにくいので、上側シート２０２Ａの親水度が１０．０以上であることが好ましく、１５．０〜３０．０であることがさらに好ましい。又、下側シート２０２Ｂの親水度が１．０以上１０．０未満であることが好ましく、２．０〜８．０であることがさらに好ましい。
又、上側シート２０２Ａと下側シート２０２Ｂは、いずれも親水性を付与した不織布からなることが好ましい。各シートをこのような構成とすると、不織布製造時に、原料である繊維（原綿）を親水処理する油剤（界面活性剤）の種類を変えることにより、親水度を調整することができる。
【００１５】
上側シート２０２Ａと下側シート２０２Ｂの親水度は以下の透水性試験及びウェットバック試験の値をもとに算出する。
１．透水性試験
まず、測定対象のシートを50×50mmにカットして試験片とする。次に、直径55mmφの定性ろ紙（#2(No.2):JIS P 3801 2種相当)を５枚重ねた上に試験片を置き、ろ紙の歪みを抑えるために内径20mmφ、外径45mmφの錘（重量10.2g）を試験片上に載せる。そして、試験片上に１ｃｍの高さから10mLメスピペットで生理食塩水を１滴（0.05mL）滴下し、30秒以内に水滴が試験片を透過してろ紙に吸水されるかを確認する。具体的には、試験片表面から水滴が無くなれば、透過、吸水したと判断する。このようにして、試験片表面から水滴が無くなったと判断した場合には、最初の滴下から30秒経過後に再度同一条件で同じ位置に生理食塩水を滴下する。具体的には、例えば滴下から24秒後に水滴がなくなったと判断した場合、そこから6秒後に次の滴下を行う。このようにして滴下を繰り返すと、試験片の親水性が低下して撥水状態になってくる。そして、生理食塩水を滴下して30秒以内に試験片を透過せず、雫状の水滴が残っていれば試験終了とし、試験終了までの滴下回数を試験値とする。
上記方法で測定を5回行い、その平均値を透水回数として採用する。
【００１６】
ウェットバック試験
まず、測定対象のシートを100×100mmにカットして試験片とする。次に、測定用ろ紙（直径55mmφの定性ろ紙（#2(No.2):JIS P 3801 2種相当)１０枚の質量Ｗ１を電子天秤で測定する。
次に、含浸用ろ紙(TAPPI T205規定 紙の手抄き試験用吸取紙、たとえば、東洋濾紙株式会社製の吸水用濾紙  No.26-WA  180mmφ)を５枚重ねて十分な量の生理食塩水に1分間以上浸漬し、飽和状態まで吸水させた後、垂直の状態で吊り下げ、1分間水切りする。
次に、水切りした含浸用ろ紙を水平状態に置き、１分間静置する。そして、試験片１枚を含浸用ろ紙の上に置き、さらに測定用ろ紙１０枚を試験片の上に置き、その上にウェットバック用おもりを２個重ね載せる。おもり１個の質量は687gで底面圧力35g/cm2である。この状態で30秒静置後、おもり及び測定用ろ紙を除去し、試験片を取り出すと共に、測定用ろ紙（１０枚分）の質量Ｗ２を電子天秤で測定する。
ウェットバック試験値＝Ｗ２−Ｗ１として計算する。上記方法で測定を5回行い、その平均値をウェットバック量として採用する。
下記式によって親水度を算出する。
親水度＝透水回数×ウェットバック量
【００１７】
上側シート２０２Ａ、下側シート２０２Ｂの坪量は１５ｇ／ｍ２以上が好ましい。上側シート２０２Ａ、下側シート２０２Ｂの坪量が１５ｇ／ｍ２未満であると、液戻り量が多くなり、着用者に不快感を与え、さらにはかぶれの原因になることがある。上側シート２０２Ａ、下側シート２０２Ｂは、ポリプロピレン、ポリエチレン、ポリエステルなどの合成繊維による、エアースルー不織布、ポイントボンド不織布、スパンボンド不織布、スパンレース不織布などが使用できる。特に液戻り量の少ないエアースルー不織布が好適である。
【００１８】
そして、上側シート２０２Ａ、下側シート２０２Ｂの間に吸収層２１０を挟持した後、上側シート２０２Ａ、下側シート２０２を全周にわたってホットメルト接着剤を用いて固定することで、吸収性物品２００を製造することができる。接着剤としては、融点が１００〜１８０℃程度の、スチレンーブタジエン−スチレン系共重合体、スチレンーイソプレン−スチレン系共重合体などの合成ゴム系；又はエチレン−酢酸ビニル共重合体などのオレフィン系のホットメルト接着剤を使用できる。ホットメルト接着剤の塗布方法には、ノズルから溶融状態の接着剤を糸状に非接触で塗布するカーテンコート法やスパイラル法、接触式で塗布するスロット法などがあり、公知のあらゆる方法が利用できる。
【００１９】
本発明は上記した実施形態に限定されず、本発明の思想と範囲に含まれる様々な変形及び均等物に及ぶことはいうまでもない。
例えば、吸収層にエンボス加工する場合、エンボスパターンとしては、連続した複数の線状、またはその組み合わせとし、具体的には直線や曲線、格子状、網目状等任意の形状とすることができる。
【実施例】
【００２０】
＜吸収性物品の製造＞
実施例１〜２として、図１〜図２に示す吸収性物品２００を製造した。上側シート２０２Ａ、下側シート２０２Ｂは、表１に示す坪量のエアースルー不織布とし、親水処理化油剤（界面活性剤）の種類を変えて親水度を調整した。なお、表１の親水処理化油剤の種類のうち、「弱耐久親水用」はアルキルホスフェートエステル塩であり、水に濡れた場合に後述する「耐久親水用」よりも親水処理化油剤が流出し易く、親水性が若干低くなるタイプである。「耐久親水用」は、炭素数が１０〜３０のアルキルホスフォート塩に、炭素数１０〜３０のベタイン化合物を混合させたものであり、水に濡れても「弱耐久親水用」よりも親水処理化油剤が長時間繊維表面に残留し、親水性が高いタイプである。なお、親水度が１０．０以上のシートを「高親水性」タイプとし、親水度が１０．０未満のシートを「低親水性」タイプとして表１に分類した。
吸収性物品２００の長手方向の最大長さ490mm、短手方向の長さ190mmとした。又、その他の寸法等の特性を表１に示す値とした。
【００２１】
比較例１の吸収性物品は、上側シート、下側シートとして同一のシート（「低親水性」タイプ）を用いたこと以外は実施例１〜２と同一とした。
得られた吸収性物品及びその各構成部分につき、以下の評価を行った。
【００２２】
坪量：ＪＩＳ Ｐ８１２４に基づいて測定した。
なお、坪量の測定は、JIS-P8111に規定する温湿度条件下(２３±１℃、５０±２％ＲＨ)で平衡状態に保持後に行った。
上側シート、下側シートの親水度の測定は上記に従った。
【００２３】
吸収性物品の吸収速度：重さ７５５．６ｇで中央に内径１９ｍｍの穴が開いている底面積１６．８ｃｍ２の円筒状の測定冶具を、吸収性物品２００の中央の上に置き、測定冶具上部の穴から生理食塩水４０ｍｌを注入した。生理食塩水が吸水性物品２００に接触した時から治具中央穴の縁に生理食塩水が完全に吸い込まれるまでの時間を計測した（１回目）。そして、３分経過後に再度４０ｍｌの生理食塩水を注入し、同様に吸収するまでの時間を計測し（２回目）、さらに３分経過後に再度４０ｍｌの生理食塩水を注入し、同様に吸収するまでの時間を計測した（３回目）。なお、上記した１回目、２回目、３回目の各吸収速度の測定は、いずれもＮ＝３サンプルについて行ったものの平均値とした。又、１回目〜３回目の各吸収速度の合計値も算出した。吸収速度が短いほど吸収性能に優れる。
【００２４】
液戻り量：吸収性物品の中央に生理食塩水（それぞれ１５０ｍｌ、２００ｍｌ）を注入し、１０分経過後に、予め重量を測定したろ紙（ＡＤＶＡＮＴＥＣ社製Ｎｏ．２ろ紙、直径５５ｍｍ）を注入部の中心に置き、ろ紙の上に６８７ｇの錘を載せた（圧力；３５ｇ／ｃｍ２）。錘を載せてから１分経過後に、ろ紙の重量を測り、試験前後のろ紙の重量差（ｇ）を液戻り量とした。液戻り量は、Ｎ＝３サンプルについて行ったものの平均値とした。液戻り量が少ないほど吸収性能に優れる。
繰り返し吸収回数：生理食塩水20mlを上側シート中央部の表面の同一箇所に無荷重で3分毎に繰り返し滴下注水し、上側シートが吸収せずに撥水（液流れ）したと目視で判定するまでの滴下回数を測定した。
併用オムツへの移行量：十分な吸収量を持つ併用オムツ（吸収性物品より面積、総吸収量が２倍以上ある紙おむつ）の上に吸収性物品を静置した。吸収性物品の中央部に生理食塩水を一定量を滴下注水し、30分経過後に併用オムツに吸収された水分の重量を測定した。
得られた結果を表１に示す。なお、表１において「上面側」とは、上側シートの表面に生理食塩水を滴下した場合を示し、「下面側」とは、下側シートの表面に生理食塩水を滴下した場合を示す。従って、「上面側」の併用オムツへの移行量の値は、併用オムツに下側シートが向くようにして吸収性物品を併用オムツ上に置き、上側シートの上に生理食塩水を滴下した場合を示す。
【００２５】
【表１】
2015058174.tif 000003
【００２６】
表１から明らかなように、上側シートの親水度が下側シートの親水度より高い各実施例の場合、上側シートと下側シートの親水度が同一の比較例１に比べ、親水度の高い上側シート側（上面側）の吸収速度、繰り返し吸収回数、及び併用オムツへの移行量が大きくなると共に、液戻り量が少なくなった。特に、実施例１よりも上側シートと下側シートの親水度の差が大きい実施例２の場合、上側シート側（上面側）の吸収速度、及び併用オムツへの移行量がさらに大きくなると共に、液戻り量がさらに少なくなった。
【符号の説明】
【００２７】
２００  吸収性物品
２０２Ａ  上側シート
２０２Ｂ  下側シート
２１０  吸収層
【図１】
2015058174.tif 000004
【図２】
2015058174.tif 000005